(57)【要約】【課題】襟付き衣服を襟台の釦を外した状態で包装・店頭陳列することを可能とする襟保形具を提供すること。【解決手段】可撓性を有する帯状の本体部１１を環状に形成し、衣服２の襟台２１の内周面に沿って装着するもので、本体部１１の一端側から、釦２２を外した状態の襟台２１の釦穴２３に襟台２１の内周側から挿通し、襟台２１の釦２２に係止することができる係止部１２を延設する。【選択図】図１
0003214504.tif 000002
【実用新案登録請求の範囲】
【請求項１】
可撓性を有する帯状の本体部を環状に形成し、衣服の襟台の内周面に沿って装着する襟保形具において、前記本体部の一端側から、釦を外した状態の襟台の釦穴に襟台の内周側から挿通し、襟台の釦に係止することができる係止部を延設してなることを特徴とする襟保形具。
【請求項２】
前記係止部が、先端にフックを形成した線状部からなることを特徴とする請求項１に記載の襟保形具。
【請求項３】
前記本体部の一端側の近傍位置から本体部の長手方向に亘って、等間隔に複数個のスリットを形成するとともに、他端側に前記スリットに係止する係止片を形成してなることを特徴とする請求項１又は２に記載の襟保形具。
【考案の詳細な説明】
【技術分野】
【０００１】
本考案は、ワイシャツ等の襟付き衣服の襟形状を保持する襟保形具に関するものである。
【背景技術】
【０００２】
従来、包装されたワイシャツ、カジュアルシャツ等の襟付き衣服の襟形状を保持するために、ボール紙や合成樹脂製等の可撓性を有する帯状の本体部を環状に形成し、衣服の襟台の内周面に沿って装着する襟保形具が使用されている（例えば、特許文献１〜２参照。）。
【先行技術文献】
【特許文献】
【０００３】
【特許文献１】実開平４−７３９０４号公報
【特許文献２】特開２００４−２０４３７１号公報
【考案の概要】
【考案が解決しようとする課題】
【０００４】
ところで、従来の襟保形具は、図２（ａ）に示すように、襟台の釦（第１釦）を止めた状態の襟付き衣服の襟形状を保持することができる反面、図２（ｂ）に示すように、襟台の釦（第１釦）を外した状態の襟付き衣服の襟形状を保持することができなかった。具体的には、襟台の釦（第１釦）を外すことにより、
１．襟元形状の崩れ・歪み・潰れが生じる。
２．襟付き衣服の各サイズ構成（Ｓ・Ｍ・Ｌ・ＬＬ寸）上、襟元形状が一定されない。
３．保管時の重ね積み時（特に、下積み品）に、襟元形状の崩れ・歪み・潰れが生じる。
４．襟付き衣服の輸送・運搬時に、襟元形状の崩れ・歪み・潰れが生じる。
等の問題があり、襟台の釦（第１釦）を外した状態で襟付き衣服を包装・店頭陳列することは困難であった。
このため、襟付き衣服の襟台の釦（第１釦）を外した状態が分かりにくいという問題があった。
【０００５】
本考案は、上記従来の襟保形具の有する問題点に鑑み、襟付き衣服を襟台の釦を外した状態で包装・店頭陳列することを可能とする襟保形具を提供することを目的とする。
【課題を解決するための手段】
【０００６】
上記目的を達成するため、本考案の襟保形具は、可撓性を有する帯状の本体部を環状に形成し、衣服の襟台の内周面に沿って装着する襟保形具において、前記本体部の一端側から、釦を外した状態の襟台の釦穴に襟台の内周側から挿通し、襟台の釦に係止することができる係止部を延設してなることを特徴とする。
【０００７】
この場合において、前記係止部を、先端にフックを形成した線状部から構成することができる。
【０００８】
また、前記本体部の一端側の近傍位置から本体部の長手方向に亘って、等間隔に複数個のスリットを形成するとともに、他端側に前記スリットに係止する係止片を形成することができる。
【考案の効果】
【０００９】
本考案の襟保形具によれば、衣服の襟台の内周面に沿って装着する本体部の一端側から延設した係止部を、釦を外した状態の襟台の釦穴に襟台の内周側から挿通し、襟台の釦に係止することによって、襟台の釦と釦穴の位置関係を保持することで、襟元形状を維持、安定させることができるので、襟付き衣服を襟台の釦を外した状態で包装・店頭陳列することが可能となる。
【００１０】
また、前記係止部を、先端にフックを形成した線状部から構成することにより、係止部を釦を外した状態の襟台の釦穴に襟台の内周側から挿通し、襟台の釦に係止する際の操作性を向上することができる。
【００１１】
また、前記本体部の一端側の近傍位置から本体部の長手方向に亘って、等間隔に複数個のスリットを形成するとともに、他端側に前記スリットに係止する係止片を形成することにより、本体部を襟元形状の異なる種々の襟付き衣服に対応した大きさの環状に形成することができる。
【図面の簡単な説明】
【００１２】
【図１】本考案の襟保形具の一実施例を示し、（ａ）は襟保形具の説明図、（ｂ）は襟保形具を装着した襟台の釦を外した状態の襟付き衣服の包装時の襟形状の説明図である。
【図２】襟付き衣服の包装時の襟形状を示し、（ａ）は襟台の釦を止めた状態、（ｂ）は襟台の釦を外した状態の説明図である。
【考案を実施するための形態】
【００１３】
以下、本考案の襟保形具の実施の形態を、図面に基づいて説明する。
【００１４】
図１に、本考案の襟保形具の一実施例を示す。
この襟保形具１は、可撓性を有する帯状の本体部１１を環状に形成し、衣服２の襟台２１の内周面に沿って装着するもので、本体部１１の一端側から、釦２２を外した状態の襟台２１の釦穴２３に襟台２１の内周側から挿通し、襟台２１の釦２２に係止することができる係止部１２を延設するようにしている。
【００１５】
この場合において、係止部１２を、襟台２１の釦２２と釦穴２３の位置関係を保持できる形状保持性を有する先端にフックを形成した線状部から構成することができる。
これにより、係止部１２を釦２２を外した状態の襟台２１の釦穴２３に襟台２１の内周側から挿通し、襟台２１の釦２２に係止する際の操作性を向上することができる。
なお、係止部１２の形状は、上記形状保持性を有する限りにおいて特に限定されず、例えば、先端にループを形成したものから構成することもできる。
【００１６】
また、本体部１１の一端側の近傍位置から本体部の長手方向に亘って、等間隔に複数個のスリット１３を形成するとともに、他端側にこのスリット１３に係止する係止片１４を形成することができる。
これにより、本体部１１を襟元形状の異なる種々の襟付き衣服２に対応した大きさの環状に形成することができる。
【００１７】
この襟保形具１の材質は、特に限定されず、例えば、全体を一体成形した合成樹脂製のものとしたり、ボール紙製の本体部１１に合成樹脂製の係止部１２を取り付けたものとすることもできる。
【００１８】
また、本体部１１には、必要に応じて、補強のための縦リブや横リブを形成することができる。
【００１９】
この襟保形具１は、図１（ｂ）に示すように、本体部１１の一端側から延設した係止部１２を、釦２２を外した状態の襟台２１の釦穴２３に襟台２１の内周側から挿通し、襟台２１の釦２２に係止することによって、襟台２１の釦２２と釦穴２３の位置関係を保持するようにした後、本体部１１を衣服２の襟台２１の内周面に沿って装着する。
このとき、本体部１１の一端側の近傍位置から本体部の長手方向に亘って、等間隔に形成した複数個のスリット１３のいずれかに、他端側に形成した係止片１４を係止することにより、本体部１１を襟元形状の異なる種々の襟付き衣服２に対応した大きさの環状に形成することで、襟元形状を維持、安定させることができる。
【００２０】
この襟保形具１によれば、衣服２の襟台２１の内周面に沿って装着する本体部１１の一端側から延設した係止部１２を、釦２２を外した状態の襟台２１の釦穴２３に襟台２１の内周側から挿通し、襟台２１の釦２２に係止することによって、襟台２１の釦２２と釦穴２３の位置関係を保持することで、襟元形状を維持、安定させることができるので、襟付き衣服２を襟台２１の釦２２を外した状態で包装・店頭陳列することが可能となる。
【００２１】
以上、本考案の襟保形具について、その実施例に基づいて説明したが、本考案は上記実施例に記載した構成に限定されるものではなく、その趣旨を逸脱しない範囲において適宜その構成を変更することができるものである。
【産業上の利用可能性】
【００２２】
本考案の襟保形具は、襟付き衣服を襟台の釦を外した状態で包装・店頭陳列することを可能とするものであることから、ワイシャツ、カジュアルシャツ等の襟付き衣服の襟形状を保持するための用途に好適に用いることができる。
【符号の説明】
【００２３】
１  襟保形具
１１  本体部
１２  係止部
１３  スリット
１４  係止片
２  襟付き衣服
２１  襟台
２２  釦
２３  釦穴
【図１】
0003214504.tif 000003
【図２】
0003214504.tif 000004